【事件の表示】
　特願２００６−　３４２８９「情報処理システム、情報処理端末、情報処理装置及び情報処理方法」拒絶査定不服審判事件〔平成１８年　８月１０日出願公開、特開２００６−２０９７８４〕について、次のとおり審決する。
【結　論】
　本件審判の請求は、成り立たない。
【理　由】
１．手続の経緯
　本願は、平成１１年３月２６日（優先権主張　平成１０年１０月１９日）に出願した特願平１１−８４６２２号の一部を平成１８年２月１０日に新たな特許出願としたものであって、平成２１年３月３０日付けで拒絶理由通知がなされ、同年６月５日付けで手続補正がなされたが、同年７月１日付けで拒絶査定がなされ、これに対し、同年１０月２日に拒絶査定不服審判の請求がなされるとともに、同日付けで手続補正がなされたものである。
　
２．平成２１年１０月２日付けの手続補正についての補正却下の決定
［補正却下の決定の結論］
　平成２１年１０月２日付けの手続補正（以下、「本件手続補正」という。）を却下する。
　
［理由］
（１）補正後の請求項２に係る発明
　本件手続補正により、特許請求の範囲の請求項２は、
「情報処理装置と通信を行う情報処理端末において、
　上記情報処理端末の現在位置を認識する位置認識手段と、
　現在時刻を取得する時刻取得手段と、
　現在位置に関連するキーワードおよび／またはテキストデータを入力するテキスト入力手段と、
　上記現在位置と、付加的検索条件としての上記現在時刻および上記キーワードとを検索タグとして上記テキストデータに関連付けて上記情報処理装置に送信して新規データベース情報作成を指示する新規データベース情報作成指示手段と、
　上記現在位置と、任意の時刻または任意のキーワードを検索キーとして上記情報処理装置に送信して上記情報処理装置にあるデータベース情報の検索を指示する検索指示手段と、
　上記検索の結果に基づき、一又は複数のデータベース情報を表示する表示手段とを有し、
　上記情報処理手段からの、上記データベースを検索して得られた検索結果としての、上記現在位置から所定距離以内を検索範囲として既に登録されている掲示板を絞り込み、その中から上記付加的検索条件に見合った掲示板の情報を上記表示手段に表示すると共に、
　上記表示手段は、表示画面上の中心表示位置を現在位置とし、当該中心表示位置からの距離を示す距離目盛り上に対応付けて、該距離目盛りの表示範囲を検索範囲として上記抽出された掲示板を表示すると共に、上記付加的検索条件を入力するための検索キー入力フィールド及び時間キー入力フィールドを表示する
　情報処理端末。」
と補正された。
　
　上記補正は、補正前の請求項３における「表示手段」を「表示画面上の中心表示位置を現在位置とし、当該中心表示位置からの距離を示す距離目盛り上に対応付けて、該距離目盛りの表示範囲を検索範囲として上記抽出された掲示板を表示すると共に、上記付加的検索条件を入力するための検索キー入力フィールド及び時間キー入力フィールドを表示する」ものに限定するものであって、平成１８年法律第５５号改正附則第３条第１項によりなお従前の例によるとされる同法による改正前の特許法第１７条の２第４項第２号の特許請求の範囲の減縮を目的とするものに該当する。
　そこで、本件手続補正後の上記請求項２に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開平９−３３０３３６号公報（以下、「引用例１」という。）、及び前置審査において周知例として引用された特開平８−３０５９９５号公報（以下、「引用例２」という。）には、それぞれ、図面とともに次の事項が記載されている。
　
（引用例１）
Ａ．「【００１０】（１）基本的構成
図１は、本発明の実施の形態に係る情報処理システムの基本構成を示すブロック図である。この情報処理システム１においては、情報取得手段２を介して現実世界３より各種情報を取得し、またこの取得した情報をデータベース化して仮想世界４を形成する。さらに情報処理システム１は、情報出力手段５を介して、この仮想世界より現実世界と関連付けられる各種情報を出力する。さらに情報処理システム１は、これらの情報のデータベース化の際に、情報の属性、特徴を示すキーを生成し、このキーにより現実世界と仮想世界との間のリンクを形成する。なおここで、コンピュータの演算処理等により生成される情報と異なり、実際の各種計測機器等による観測によって取得することができる情報を現実世界の情報と呼ぶ。
【００１１】ここで情報取得手段２は、現実世界よりデータベース化する情報（例えば音声、画像、テキスト等の情報が該当し、以下主情報と呼ぶ）を入力し、また必要に応じてキー生成に必要な情報を入力する。なお主情報としては、音声、画像、テキストによる情報等が考えられ、またキー生成の為の情報としては、位置情報、時間情報等を適用することが考えられる。
【００１２】記録情報生成手段６は、主情報をデータベース化に適したデータ形式に変換して出力する。例えば音声信号でなる主情報においては、この音声信号をディジタル信号に変換した後、ＷＡＶ形式等のファイルに変換する。また映像信号でなる主情報においては、同様にディジタル信号に変換した後、ＪＰＥＧ、ＭＰＥＧ形式等のファイルに変換する。
【００１３】キー生成手段７は、記録情報生成手段６で取得した情報より、キーワード、音声認識結果、時間情報等でなるキーを生成する。このときキー生成手段７は、予めマッピングデータベース１２に登録されたキーを利用して、これらのキーに対応するようにキーを生成する。情報蓄積手段８は、このようにして生成したキーと、記録情報生成手段６より出力される主情報を蓄積して、データベース化する。
【００１４】すなわちインターネット上のＷＷＷシステムに例えると、データベースマネージャー９は、ＵＲＬ（Uniform Resorce Locator ）によるアドレスにより主情報を蓄積してデータベース１０を形成し、情報検索手段１３からの要求により蓄積した主情報を読み出して出力する。さらにこのときデータベースマネージャー９は、予め登録された基準情報（この情報処理システムの提供するサービスに対応してデータベース１０に予め登録されたＨＴＭＬ（Hyper Text Makeup Language）ドキュメントでなる）に対応するように、主情報をＨＴＭＬドキュメントによりファイル化して蓄積する。
【００１５】マッピングデータベースマネージャー１１は、データベースマネージャー９に対応して、この場合は、キーと対応する主情報のＵＲＬアドレスを記録してマッピングデータベース１２を形成することにより、主情報と関連付けてキーを記録する。」
　
Ｂ．「【００２２】図３は、この端末装置２０のブロック図である。この端末装置２０は、情報取得手段２として時計２６を内蔵し、これにより現在時刻でなる時間情報を取得できるようになされている。また端末装置２０は、ＧＰＳ受信装置２７を内蔵し、アンテナ２４により受信した信号を処理して、３次元の位置情報を取得できるようになされている。
【００２３】さらに端末装置２０は、音声入力装置２８及びＣＣＤカメラ２９を有し、マイク２３から取り込んだ音声をこの音声入力装置２８により処理し、またレンズ２５より取り込んだ被写体の画像をＣＣＤカメラ２９により処理できるようになされている。またペン入力装置３０を有し、これにより透明タブレット２２を介して手書き文字を入力し、またメニューの選択を検出できるようになされている。これらの情報取得手段２により、端末装置２０は、現実世界の情報として、時間情報、位置情報、音声情報、画像情報、文字情報、さらにはユーザーＩＤでなる個人情報を取得できるようになされ、これらの情報を必要に応じて主情報、キーを生成するための情報として使用する。
【００２４】また端末装置２０は、情報出力手段５として、音声出力装置３２を有し、必要に応じて音声入力装置２８により入力した音声をモニタし、またサーバーより伝送された音声をモニタできるようになされている。また端末装置２０は、情報出力手段５として、液晶表示パネル２１により構成される液晶表示装置３３を有し、これにより種々のメニューを表示し、またペン入力装置３０及びＣＣＤカメラ２９を介して入力した手書き文字、画像を確認し、さらにはサーバーより伝送された種々の画像、テキスト等を表示できるようになされている。
【００２５】送受信部３４は、携帯電話に適用される無線通信部であり、これにより公衆回線でなる携帯電話回線網を介して、無線伝送により各種情報をサーバーに伝送し、またこの携帯電話回線網を介してサーバーより種々の情報を受信する。これによりこの端末装置２０では、この送受信部３４との通信により、携帯電話サービスに使用されるセル情報、電話番号のエリア番号によっても、サーバー側において、この端末装置２０の現在位置情報を取得できるようになされている。」
　
Ｃ．「【００３０】キー生成装置４３は、これらのテキストより、必要に応じてキーを生成する。またキー生成装置４３は、端末装置２０より得られる座標情報、時間情報、文字情報、ユーザーＩＤからも、必要に応じてキーを生成する。すなわちユーザーがユーザー個人に関するサービスを要求した場合には、個人情報でなるユーザーＩＤをキーに設定する。またこれに加えて現在位置を特定する例えば「この場所」、「この」等の音声を入力すると、このユーザーＩＤに加えて、座標情報をキーに設定する。これによりキー生成手段７においては、ユーザに提供するサービスに応じて、端末装置２０より入力された各種情報から単一の、又は複数種類のキーを生成する。」
　
Ｄ．「【００３８】（２−１）タウンガイドサービス
図６は、端末装置２０の初期メニュー画面において、ユーザーがタウンガイドサービスのメニューを選択した場合の、サーバー４０の処理手順を示すフローチャートである。この処理手順において、サーバー４０は、ステップＳＰ１からステップＳＰ２に移り、音声合成による音声出力により、又はテキストの表示により、端末装置２０を介して、ユーザーにサービス対象の入力を促す。
【００３９】ここでユーザーが、例えば「この付近のレストランは」の文章を音声により入力すると、サーバー４０は、音声認識装置４２を介して、この音声をテキストに変換する。なおサーバー４０は、ユーザーが手書き入力によりこの文言を入力した場合、画像認識装置４４を介して、また予め設定されたメニューを選択して同様のメニューを選択した場合は、キー生成手段７により、この入力を検出する。
【００４０】このようにしてユーザーがサービス対象を入力すると、サーバー４０は、同時に、端末装置２０より、位置情報、時間情報を取得してキー生成手段７に出力する。キー生成手段７においては、予め登録されたキーを手掛かりとして、これらの音声情報、位置情報、時間情報よりキーを生成する。ここでサービス対象に対応してキー生成装置４３は、位置情報及びレストランをキーに設定し、このキーを情報検索手段１３に出力する。すなわちサーバー４０は、地域を特定する「この付近」の文言より、座標情報を、検索範囲を示すキーに設定する。さらに「レストラン」の文言より、同様に対象を特定する「レストラン」のキーワードをキーに設定する。
【００４１】情報検索手段１３においては、マッピングデータベースマネージャー１１を介して、マッピングデータベース１２を検索し、検索範囲を示すキーによりユーザーの現在位置を基準にして、予めこのタウンガイドサービスに設定した範囲にどの程度の情報が存在するか調査する。これにより情報検索手段１３は、ユーザーにより指定された「この付近」の、「レストラン」に関する情報の密度を計算する。
【００４２】続いて情報検索手段１３は、ステップＳＰ３に移り、ステップＳＰ２において計算結果より、端末装置２０を携帯するユーザー、さらには携帯装置２０の表示に適した検索範囲を決定する。情報検索手段１３は、この決定した検索範囲において、ワールドワイドウエッブサーバー４９を介して、データベースを検索し、対応するＨＴＭＬドキュメントを取得する。さらに情報検索手段１３は、続くステップＳＰ４において、この取得したＨＴＭＬドキュメントより、ユーザーの質問に対応する生成方法によりＨＴＭＬドキュメントを生成し、この生成したＨＴＭＬドキュメントを出力情報生成手段１５に出力した後、ステップＳＰ５に移ってこの処理手順を終了する。
【００４３】この場合、情報検索手段１３においては、ユーザーの入力した「この付近のレストランは」の質問に対応して、この付近のレストランの位置を地図上で特定するようにＨＴＭＬドキュメントを生成し、これにより図７に示すように、端末装置２０の表示画面にこの地図を表示する。なおこの図７に示す表示において、情報検索手段１３は、各データベース１０に蓄積された各レストランの評価を色彩により表現する。
【００４４】さらにサーバー４０においては、この地図上にて、ユーザーがレストランを指定して所定の操作を操作すると、改めてユーザーの操作に対応して、対応するＨＴＭＬドキュメントを辿ることにより、図８に示すように、ユーザーの選択したレストランについて、詳しい情報を表示する。さらにこの表示において、関連する案内については、下線付きによりメニュー（「地図」、「評価の声」でなる）を表示し、これらの表示が選択された場合、同様にリンクを辿って対応する案内を表示する。
【００４５】これに対してユーザーが例えば「この１週間に行ったレストランは」との質問を入力すると、情報検索手段１３は、図６について上述した処理手順により、時間情報でなる現在時刻を基準にして検索範囲を示すキー、さらに個人情報でなるユーザーＩＤよりキーを生成する。さらにこれらのキーを基準にして、マッピングデータベース１２を検索してこの１週間の範囲におけるユーザーの訪問したレストランに関する情報の密度を計算し、この計算結果より、必要に応じて改めて検索範囲を設定する。さらにこの検索範囲により、データベース１０を検索し、この検索結果よりＨＴＭＬドキュメントを生成し、これにより図９に示すように、ユーザーが過去１週間に訪問したレストランについて、最近の情報より順次詳しい情報を表示する。なおこの場合も、リンクの張られている案内については、下線付きにより表示し、ユーザーの使い勝手を向上する。
【００４６】またユーザーが例えば「お気に入りのレストランは」との質問を入力すると、情報検索手段１３は、同様に、図６について上述した処理手順により、個人情報でなるユーザーＩＤを検索範囲のキーに設定し、また「レストラン」の文言より同様に対象を特定する「レストラン」のキーワードをキーに設定する。さらにマッピングデータベース１２を検索してレストランに関する情報の密度を計算し、この計算結果より、必要に応じて評価の高いレストランより検索対象とする範囲を設定する。さらにこの検索対象とする範囲により、データベース１０を検索し、この検索結果よりＨＴＭＬドキュメントを生成し、これにより図１０に示すように、ユーザーのお気に入りのレストランについて、詳しい情報を表示する。
【００４７】さらにユーザーが例えば「五反田付近のレストランは」との質問を入力すると、情報検索手段１３は、同様に、図６について上述した処理手順により、五反田の位置指定を解釈し、この五反田の座標情報を検索範囲のキーに、「レストラン」のキーワードをキーに設定する。さらに検索範囲を必要に応じて再設定した後、同様にしてデータベース１０を検索し、この検索結果よりＨＴＭＬドキュメントを生成し、これにより図１１に示すように、五反田付近のレストランを表示する。
【００４８】さらにこれらの質問の後に、ユーザーが「評価は」と質問すると、同様に、図６について上述した処理手順により、検索の範囲を設定し、この場合情報の密度より現在時刻を基準にして所定期間の範囲で、データベース１０を検索してこれらのレストランに関するメッセージのリストを図１２に示すように表示する。この場合、情報の密度より、端末装置２０に表示可能な範囲で検索し、検索結果を表示する。またユーザーの指定したレストランについて、他のユーザーが残したメッセージリストをそのユーザー名、日付け、データの形式を示すマークと共に表示する。ちなみにデータ形式は、音声によるものはスピーカのマークにより、手書き文字によるものは、鉛筆と用紙のマークにより、テキストによるものはキーボードのマークにより表示する。
【００４９】さらにサーバー４０は、このメッセージリストを表示した状態で、ユーザーがリストの先頭に表示された番号を指定すると、この数字１に張られたリンクを辿ってデータベース１０を検索し、この番号に割り当てられたメッセージを通知する。これに対してメッセージマップのサービスを要求すると、図１３に示すように、表示中の地図でこれらのメッセージリストを表示する。このときユーザーが図７について上述した地図を表示した状態で、メッセージマップのサービスを要求すると、検索の範囲を拡大し、図１４に示すように、メッセージでなる情報の分布をそれぞれ地図上の位置により、情報の密度を色彩により表示する。なおこの図１４においては、楕円形の丸印により、各情報の所在を、またハッチングの有無により各地点における情報の数を示す。これによりサーバー４０では、情報の密度及び分布を検出して検索結果を出力し、ユーザーの使い勝手を向上するようになされている。」
　
Ｅ．「【００５４】このようにしてユーザーがサービスを要求すると、サーバー４０は、音声により、又は手書き入力により、ユーザーのメッセージを記録情報取得手段２により取得する。さらにサーバー４０は、同時に、端末装置２０より、位置情報、時間情報、ユーザーＩＤでなるキーを基準にして、これらのキーよりメッセージを記録するＵＲＬを生成する。このときサーバー４０においては、ユーザーが音声、又はテキストにより例えば「このレストラン」と入力すると、サーバー４０は、場所を特定する「この」の文言より、ユーザーの現在位置を基準にして、既にマッピングデータベース１２に登録されている関連するキーを検索して確認を促す。またこのときあいまい検索により、続く「レストラン」の文言に類似するキーを併せて検索して確認を促す。
【００５５】ここでユーザーの確認が得られると、続いてサーバー４０は、ステップＳＰ１２に移り、ワールドワイドウエッブサーバー４９により、このメッセージに対応するＨＴＭＬドキュメントを作成し、これにより続いて入力するユーザーのメッセージを主情報に設定してデータベース１０に登録する。続いてサーバー４０は、ステップＳＰ１３において、これらのキーとＵＲＬとを関連を付けてマッピングデータベース１２に記録し、これによりキーを手掛かりに主情報をアクセスできるようにリンクを形成する。これによりサーバー４０は、ステップＳＰ１４に移ってこの処理手順を終了する。」
　
　上記Ｅの段落【００５４】には、「このレストラン」という入力をテキストにより行うことが示されている。ここで、上記Ｄの段落【００４０】には、「レストラン」がキーワードである旨記載されていることから、上記「このレストラン」は、「現在位置に関連するキーワード」といえるものである。そして、テキストにより入力される上記「現在位置に関連するキーワード」は、文字を入力する装置である「ペン入力装置」により行われているといえる。
　また、上記Ｅの段落【００５４】には、手書き入力されたメッセージを記録情報取得手段から取得することも示されている。上記メッセージは、この段落の文脈からみて、上記「このレストラン」に関連するメッセージであるから、「現在位置に関連するメッセージ」といえるものである。そして、「ペン入力装置」は、記録情報取得手段内の手書き文字を入力する装置である。
　よって、「端末装置」は、「現在位置に関連するキーワードおよび／またはメッセージを入力するペン入力装置」を有しているといえる。
　
　上記Ｂの段落【００２５】には、端末装置の送受信部からサーバーに各種情報を伝送することが示されており、上記Ｅには、位置情報と、時間情報およびキーワードと、メッセージとを端末装置からサーバーへ送信することが示されていることから、「端末装置」は、「位置情報と、時間情報およびキーワードと、メッセージとをサーバーに送信する送信手段」を有しているといえる。
　
　上記Ｄの段落【００３９】には、端末装置からサーバーへの入力に基づいて検索を行うことが示されている。そして、入力例として、上記Ｄの段落【００４３】には、「この付近のレストランは」と、端末装置の位置情報と任意のキーワードとを用いることが示されており、上記Ｄの段落【００４５】には、「この１週間に行ったレストランは」と、任意の時間と任意のキーワードとを用いることが示されている。そして、位置情報と、任意の時間情報または任意のキーワードは、検索キーとするために送信されるものであるから、「端末装置」は、「位置情報と、任意の時間情報または任意のキーワードを検索キーとしてサーバーに送信してデータベースの検索を指示する手段」と呼び得る構成を有しているといえる。
　
　上記Ｄの段落【００４７】〜【００４９】には、五反田付近を検索範囲とし、「レストラン」というキーワードを検索条件として、データベースの検索を行い、得られたメッセージリストを液晶表示装置に表示することが例示されている。上記例示では、「五反田付近のレストランは」という検索であるため、五反田付近を検索範囲としているが、上記Ｄの段落【００３９】〜【００４４】には、別の例示として「この付近のレストランは」との検索に対して、端末装置の位置情報を基準として、端末装置の表示に適した検索範囲の設定をする記載もあることから、端末装置の位置情報から所定距離以内を検索範囲として、メッセージリストを表示するようにすることができることは明らかである。
　よって、「端末装置」は、「サーバーからの、データベースを検索して得られた検索結果としての、位置情報から所定距離以内を検索範囲として既に登録されているメッセージリストを絞り込み、その中からキーワードに見合ったメッセージリストを液晶表示装置に表示」しているといえる。
　
　図７には、液晶表示装置の表示画面上に現在位置を表示することが示されている。また、図１３には、液晶表示装置の表示画面に表示された地図上の対応する位置にメッセージリストを表示することが示されている。
　
　よって、上記Ａ〜Ｅの記載及び関連する図面を参照すると、引用例１には、次の発明が記載されているものと認められる。（以下、「引用例１記載の発明」という。）
「サーバーと通信を行う端末装置において、
　上記端末装置の位置情報を取得するＧＰＳ受信装置と、
　現在の時刻である時間情報を取得する時計と、
　現在位置に関連するキーワードおよび／またはメッセージを入力するペン入力装置と、
　上記位置情報と、上記時間情報および上記キーワードと、上記メッセージとを上記サーバーに送信する送信手段と、
　上記位置情報と、任意の時間情報または任意のキーワードを検索キーとして上記サーバーに送信して上記データベースの検索を指示する手段と、
　上記検索の結果に基づき、一又は複数のメッセージリストを表示する液晶表示装置とを有し、
　上記サーバーからの、上記データベースを検索して得られた検索結果としての、上記位置情報から所定距離以内を検索範囲として既に登録されているメッセージリストを絞り込み、その中からキーワードに見合ったメッセージリストを上記液晶表示装置に表示すると共に、
　上記液晶表示装置は、表示画面上に現在位置を表示すること、及び、表示画面に表示された地図上の対応する位置に上記メッセージリストを表示する
　端末装置。」
　
（引用例２）
Ｆ．「【００５０】また本例においては、表示切換キー１１８を操作することで、各移動体のモニタリング表示を、地図上の表示ではなく、図２３に示すように、同心円が表示された上の表示に切換えることもできる。この場合、同心円の半径を示す距離を表示させる。」
　
（３）対比
　本願補正発明と引用例１記載の発明とを対比すると、次のことがいえる。
　
（あ）引用例１記載の発明における「サーバー」、「端末装置」、「端末装置の位置情報」、「ＧＰＳ受信装置」、「現在の時刻である時間情報」、「時計」、「メッセージ」、「ペン入力装置」、「液晶表示装置」は、それぞれ、本願補正発明における「情報処理装置」、「情報処理端末」、「情報処理端末の現在位置」、「位置認識手段」、「現在時刻」、「時刻取得手段」、「テキストデータ」、「テキスト入力手段」、「表示手段」に相当するものである。
　
（い）引用例１記載の発明における「位置情報と、時間情報およびキーワードと、メッセージとをサーバーに送信する送信手段」と、本願補正発明における「現在位置と、付加的検索条件としての現在時刻およびキーワードとを検索タグとしてテキストデータに関連付けて情報処理装置に送信して新規データベース情報作成を指示する新規データベース情報作成指示手段」とは、ともに、「現在位置と、現在時刻およびキーワードと、テキストデータとを情報処理装置に送信する送信手段」である点で共通するものである。
　
（う）引用例１記載の発明において、「データベースの検索を指示する」というのは、データベースに登録されている情報の検索を指示することを意味するものである。そして、本願補正発明における「データベース情報」は、データベースに登録されている情報を意味するものであるから、引用例１記載の発明における「位置情報と、任意の時間情報または任意のキーワードを検索キーとしてサーバーに送信してデータベースの検索を指示する手段」は、本願補正発明における「現在位置と、任意の時刻または任意のキーワードを検索キーとして情報処理装置に送信して情報処理装置にあるデータベース情報の検索を指示する検索指示手段」に相当するものである。
　
（え）本願補正発明における「掲示板」は、本願明細書の段落【０１４５】，【０１４９】の記載を参酌すると、現在位置に対応して登録された一又は複数のテキストデータであると解される。一方、引用例１記載の発明における「メッセージリスト」は、図１３を参酌すると位置情報に対応して登録されたメッセージのリストであるから、引用例１記載の発明における「メッセージリスト」は、本願補正発明における「掲示板」に相当するものであり、データベースに登録された情報であるから、「データベース情報」と呼び得るものである。
　
　上記（あ）〜（え）の事項を踏まえると、本願補正発明と引用例１記載の発明とは、次の点で一致し、また、相違するものと認められる。
　
（一致点）
　本願補正発明と引用例１記載の発明とは、ともに、
「情報処理装置と通信を行う情報処理端末において、
　上記情報処理端末の現在位置を認識する位置認識手段と、
　現在時刻を取得する時刻取得手段と、
　現在位置に関連するキーワードおよび／またはテキストデータを入力するテキスト入力手段と、
　上記現在位置と、上記現在時刻および上記キーワードと、上記テキストデータとを情報処理装置に送信する送信手段と、
　上記現在位置と、任意の時刻または任意のキーワードを検索キーとして上記情報処理装置に送信して上記情報処理装置にあるデータベース情報の検索を指示する検索指示手段と、
　上記検索の結果に基づき、一又は複数のデータベース情報を表示する表示手段とを有し、
　上記情報処理手段からの、上記データベースを検索して得られた検索結果としての、上記現在位置から所定距離以内を検索範囲として既に登録されている掲示板を絞り込み、その中から上記付加的検索条件に見合った掲示板の情報を上記表示手段に表示する
　情報処理端末。」
である点。
　
（相違点）
　相違点１：「送信手段」が、本願補正発明においては、「現在位置と、付加的検索条件としての現在時刻およびキーワードとを検索タグとしてテキストデータに関連付けて情報処理装置に送信して新規データベース情報作成を指示する新規データベース情報作成指示手段」であるのに対し、引用例１記載の発明は、時間情報およびキーワードを付加的検索条件とし、端末装置の位置情報と、付加的検索条件とを検索タグとしてメッセージに関連付けることや、新規データベース情報作成を指示することについての言及がされていない点。
　
　相違点２：「表示手段」が、本願補正発明においては、「表示画面上の中心表示位置を現在位置とし、当該中心表示位置からの距離を示す距離目盛り上に対応付けて、該距離目盛りの表示範囲を検索範囲として抽出された掲示板を表示すると共に、付加的検索条件を入力するための検索キー入力フィールド及び時間キー入力フィールドを表示する」ものであるのに対し、引用例１記載の発明においては、「表示画面上に現在位置を表示すること」、及び、「表示画面に表示された地図上の対応する位置に上記メッセージリストを表示する」ことは行っているが、「表示画面上の中心表示位置を現在位置」とし、「当該中心表示位置からの距離を示す距離目盛り上に対応付けて、該距離目盛りの表示範囲を検索範囲として抽出された掲示板を表示すると共に、付加的検索条件を入力するための検索キー入力フィールド及び時間キー入力フィールドを表示する」ものではない点。
　
（４）判断
　そこで、上記相違点１，２について検討する。
　
（相違点１について）
　上記Ａの段落【００１１】及び段落【００１３】には、位置情報、時間情報、キーワード等からキーを生成することが示されており、上記Ｅの段落【００５５】には、メッセージを主情報に設定してデータベースに登録し、キーを手掛かりに主情報をアクセスできるようにリンクを形成することが示されていることから、引用例１には、位置情報と、時間情報およびキーワードをメッセージに関連づけられた検索タグとして用いることが示されているといえる。また、「端末装置の位置情報」を主の検索条件と考えた場合には、「時間情報およびキーワード」は「付加的検索条件」と呼び得るものである。
　ここで、引用例１では、上記Ｃに記載されているように、サーバーのキー生成手段が、端末装置から送信された情報を基にキーを生成しているが、キーの生成をサーバーで行うのか端末装置で行うのかは必要に応じて適宜選択し得る程度のものにすぎないことから、このキーの生成を端末装置において行うようにして、位置情報と、付加的検索条件としての現在時刻およびキーワードとを検索タグとしてメッセージに関連付けてサーバーに送信するようにすることは、当業者が適宜になし得ることである。
　そして、引用例１記載の発明において、端末装置からのメッセージ等の送信は、上述のとおり（上記Ｅの段落【００５５】）、メッセージを主情報に設定してデータベースに登録させることを目的として行われるものであるから、そのメッセージ等の送信に当たっては、該メッセージに伴う新たなデータベース情報作成の指示も当然に行われるものであることは容易に首肯し得ることであり、その機能を送信手段に持たせることも、当業者が適宜なし得ることである。
　よって、引用例１記載の発明の送信手段において、「現在位置と、付加的検索条件としての現在時刻およびキーワードとを検索タグとしてテキストデータに関連付けて情報処理装置に送信して新規データベース情報作成を指示する新規データベース情報作成指示手段」を有するようにすることは、当業者が容易に想到し得ることである。
　
（相違点２について）
　引用例１記載の発明は、上記Ｄの記載によれば、端末装置の位置情報を基準に表示に適した検索範囲を決定してデータベースの検索を行うことにより、現在位置付近の情報を地図上に表示するものであるから、基準となる現在位置を表示画面上の中心表示位置に表示するようにすることはごく自然な発想であり、そのようにすることに格別の困難性はない。
　そして、地図表示の代わりに中心表示位置からの距離を示す距離目盛りを表示するようにすることは、引用例２に記載されていることから、この引用例２の記載事項を引用例１記載の発明に適用することにより、地図表示の代わりに中心表示位置からの距離を示す距離目盛りを表示するようにし、地図上の対応する位置にメッセージリストを表示する代わりに、中心表示位置からの距離を示す距離目盛り上の対応する位置にメッセージリストを表示するようにすることは、当業者が容易に想到し得ることである。
　また、引用例１から摘示した上記Ｄの段落【００４８】には、質問に対する検索結果を表示した後に、さらに質問を行うことが示されているから、そのさらなる質問を入力するための入力フィールドが設けられていることは容易に首肯し得ることであり、そして、その入力フィールドを付加的検索条件を入力するための検索キー入力フィールド及び時間キー入力フィールドに限定することも必要に応じて決定し得る事項にすぎない。
　したがって、引用例１記載の発明において、「表示手段」が、「表示画面上の中心表示位置を現在位置とし、当該中心表示位置からの距離を示す距離目盛り上に対応付けて、該距離目盛りの表示範囲を検索範囲として抽出された掲示板を表示すると共に、付加的検索条件を入力するための検索キー入力フィールド及び時間キー入力フィールドを表示する」ようにすることは、当業者が容易に想到し得ることである。
　
（本願補正発明の作用効果について）
　そして、本願補正発明の構成によってもたらされる効果も、引用例１記載の発明及び上記引用例２記載の技術から当業者が容易に予測することができる程度のものであって、格別のものとはいえない。
　
　したがって、本願補正発明は、引用例１記載の発明及び上記引用例２記載の技術に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２１年１０月２日付けの手続補正は、上記のとおり却下されたので、本願の請求項３に係る発明は、平成２１年６月５日付け手続補正書の特許請求の範囲の請求項３に記載されたとおりの次のものと認める。（以下、「本願発明」という。）
「情報処理装置と通信を行う情報処理端末において、
　上記情報処理端末の現在位置を認識する位置認識手段と、
　現在時刻を取得する時刻取得手段と、
　現在位置に関連するキーワードおよび／またはテキストデータを入力するテキスト入力手段と、
　上記現在位置と、付加的検索条件としての上記現在時刻および上記キーワードとを検索タグとして上記テキストデータに関連付けて上記情報処理装置に送信して新規データベース情報作成を指示する新規データベース情報作成指示手段と、
　上記現在位置と、任意の時刻または任意のキーワードを検索キーとして上記情報処理装置に送信して上記情報処理装置にあるデータベース情報の検索を指示する検索指示手段と、
　上記検索の結果に基づき、一又は複数のデータベース情報を表示する表示手段とを有し、
　上記情報処理手段からの、上記データベースを検索して得られた検索結果としての、上記現在位置から所定距離以内を検索範囲として既に登録されている掲示板を絞り込み、その中から上記付加的検索条件に見合った掲示板の情報を上記表示手段に表示する情報処理端末。」
　
（２）引用例
　これに対して、原査定の拒絶の理由に引用された引用例１、及び前置審査において周知例として引用された引用例２の記載事項は、上記２．（２）に記載したとおりである。
　
（３）対比・判断
　本願発明は、上記２．で検討した本願補正発明における「表示手段」について、「表示画面上の中心表示位置を現在位置とし、当該中心表示位置からの距離を示す距離目盛り上に対応付けて、該距離目盛りの表示範囲を検索範囲として上記抽出された掲示板を表示すると共に、上記付加的検索条件を入力するための検索キー入力フィールド及び時間キー入力フィールドを表示する」との限定を省いたものである。
　
　そうすると、本願発明の構成要件を全て含み、さらに特定の限定を施したものに相当する本願補正発明が、上記２．（４）に記載したとおり、引用例１に記載の発明及び上記引用例２記載の技術に基いて、当業者が容易に発明をすることができたものであるから、上記特定の限定を省いた本願発明は、上記特定の限定について参照した上記引用例２記載の技術を参酌するまでもなく、引用例１に記載の発明に基いて、当業者が容易に発明をすることができたものである。
　
（４）むすび
　以上のとおり、本願発明は、引用例１記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。